(57)【要約】【課題】市場から回収した使用済み遊技機用基板の基板管理番号を変更し、他の機種でリユースすることを可能にするとともに、基板上における基板管理番号の記載位置が限定されることを回避し、部品レイアウトの自由度を増大させる。【解決手段】基板管理番号２１が表示された基板２Ａ上に、電子部品３を実装して構成される遊技機用基板１Ａであって、基板２Ａの裏面に、表面に表示される基板管理番号２１の文字中心位置を示す目印２２が形成され、目印２２に対する孔開け加工に基づいて、基板管理番号２１に含まれる一又は複数の文字を選択的に消去することにより、基板管理番号２１が変更される構成としてある。【選択図】図３
2011083404.tif 000002
【特許請求の範囲】
【請求項１】
基板管理番号が表示された基板上に、電子部品を実装して構成される遊技機用基板であって、
前記基板管理番号が表面に表示されるとともに、
前記基板管理番号の文字中心位置を示す目印が表面及び／又は裏面に形成され、
前記目印に対する孔開け加工に基づいて、前記基板管理番号に含まれる一又は複数の文字を選択的に消去することにより、前記基板管理番号が変更されることを特徴とする遊技機用基板。
【請求項２】
前記基板の裏面に、前記基板管理番号と同一の基板管理番号が表示されるとともに、前記目印が形成され、この同一の基板管理番号の各文字がそれぞれ対応する前記目印を中心として配置される請求項１記載の遊技機用基板。
【請求項３】
前記基板の表裏に表示される前記基板管理番号の文字の大きさが同じである請求項２記載の遊技機用基板。
【請求項４】
前記基板の表裏に表示される前記基板管理番号の文字の天地が逆さまである請求項２又は３記載の遊技機用基板。
【請求項５】
基板管理番号が表示された基板上に、電子部品を実装して構成される遊技機用基板の製造方法であって、
前記基板管理番号が表面に表示されるとともに、
前記基板管理番号の文字中心位置を示す目印が表面及び／又は裏面に形成されており、
前記目印に対する孔開け加工に基づいて、前記基板管理番号に含まれる一又は複数の文字を選択的に消去することにより、前記基板管理番号を変更する管理番号変更工程が含まれることを特徴とする遊技機用基板の製造方法。
【発明の詳細な説明】
【技術分野】
【０００１】
本発明は、基板管理番号が表示された基板上に、電子部品を実装して構成される遊技機用基板及びその製造方法に関する。
【背景技術】
【０００２】
近年、パチンコ、スロットマシンなどの遊技機においては、遊技機に搭載される遊技機用基板を共通化することにより、製造コストを低減させることが提案されている。例えば、同一遊技機メーカの異なる機種間で遊技機用基板を共通化する。また、ＯＥＭ供給される遊技機用基板の場合は、異なる遊技機メーカ間で遊技機用基板を共通化することも可能である。
【０００３】
ところで、パチンコ、スロットマシンなどの遊技機に搭載される遊技機用基板では、不正防止などを目的とし、遊技機用基板に基板管理番号を付して遊技機用基板の種類を厳格に管理することが要求される。例えば、配線パターン、実装部品、ロムソケットのピン配列などが共通化された遊技機用基板であっても、ロムソケットに異なる容量のロムを搭載する場合は、別種の遊技機用基板とみなされ、異なる基板管理番号を付与することが要求される。そのため、遊技機用基板の共通化において、基板管理番号が足かせとなっていた。
【０００４】
そこで、遊技機用基板に複数種類の基板管理番号を記載しておき、搭載するロムの容量が決まった後に、該当する基板管理番号表示部分のみを残し、他の基板管理番号表示部分を切除可能としたものが提案されている（例えば、特許文献１、２参照）。このような遊技機用基板によれば、異なる容量のロムを搭載する場合であっても、遊技機用基板の共通化が可能となる。
【先行技術文献】
【特許文献】
【０００５】
【特許文献１】特開２００６−６８０１号公報
【特許文献２】特開２００６−１０２２４５号公報
【発明の概要】
【発明が解決しようとする課題】
【０００６】
しかしながら、特許文献１、２に示される遊技機用基板では、不要な基板管理番号表示部分を切除した時点で基板管理番号が固定され、以降は基板管理番号を変更することができないので、例えば、市場から回収した使用済み遊技機用基板の基板管理番号を変更し、他の機種でリユースすることは困難であった。
【０００７】
また、特許文献１、２に示される遊技機用基板では、不要な基板管理番号表示部分を切除する都合上、基板管理番号の記載位置が基板周縁部に限定されるので、部品レイアウトの自由度が損なわれるという問題もあった。
【０００８】
本発明は、上記の事情にかんがみなされたものであり、市場から回収した使用済み遊技機用基板の基板管理番号を変更し、他の機種でリユースすることが可能になるだけでなく、基板上における基板管理番号の記載位置が限定されることを回避し、部品レイアウトの自由度を増大させることができる遊技機用基板及びその製造方法の提供を目的とする。
【課題を解決するための手段】
【０００９】
上記目的を達成するため本発明の遊技機用基板は、基板管理番号が表示された基板上に、電子部品を実装して構成される遊技機用基板であって、前記基板管理番号が表面に表示されるとともに、前記基板管理番号の文字中心位置を示す目印が表面及び／又は裏面に形成され、前記目印に対する孔開け加工に基づいて、前記基板管理番号に含まれる一又は複数の文字を選択的に消去することにより、前記基板管理番号が変更される構成としてある。
【００１０】
また、本発明の遊技機用基板の製造方法は、基板管理番号が表示された基板上に、電子部品を実装して構成される遊技機用基板の製造方法であって、前記基板管理番号が表面に表示されるとともに、前記基板管理番号の文字中心位置を示す目印が表面及び／又は裏面に形成されており、前記目印に対する孔開け加工に基づいて、前記基板管理番号に含まれる一又は複数の文字を選択的に消去することにより、前記基板管理番号を変更する管理番号変更工程が含まれる方法としてある。
【発明の効果】
【００１１】
以上のように、本発明によれば、市場から回収した使用済み遊技機用基板の基板管理番号を変更し、他の機種でリユースすることが可能になるだけでなく、基板上における基板管理番号の記載位置が限定されることを回避し、部品レイアウトの自由度を増大させることができる。
【図面の簡単な説明】
【００１２】
【図１】本発明の第一実施形態に係る遊技機用基板の基板ケース収容状態を示す斜視図である。
【図２】本発明の第一実施形態に係る遊技機用基板の基板管理番号表示部分及び目印形成部分を示す説明図である。
【図３】本発明の第一実施形態に係る遊技機用基板の管理番号変更工程を示す説明図であり、（ａ）は、孔開け加工前を示す図であり、（ｂ）は、孔開け加工後を示す図である。
【図４】本発明の第二実施形態に係る遊技機用基板の基板ケース収容状態を示す斜視図である。
【図５】本発明の第二実施形態に係る遊技機用基板及び基板ケースを示す分解斜視図である。
【図６】本発明の第二実施形態に係る遊技機用基板の基板管理番号表示部分及び目印形成部分を示す説明図である。
【図７】本発明の第二実施形態に係る遊技機用基板の変形例を示す説明図である。
【発明を実施するための形態】
【００１３】
以下、本発明の実施形態について、図面を参照して説明する。
【００１４】
［第一実施形態］
まず、本発明の第一実施形態に係る遊技機用基板及びその製造方法について、図１〜図３を参照して説明する。
【００１５】
図１は、本発明の第一実施形態に係る遊技機用基板の基板ケース収容状態を示す斜視図である。
この図に示すように、本発明の第一実施形態に係る遊技機用基板１Ａは、基板２Ａ上に電子部品３を実装して構成され、基板ケース４に収容した状態で遊技機（図示せず）に組み付けられる。
基板２Ａは、プリントパターンにより配線が形成されるプリント基板である。
電子部品３には、半田付けなどで基板２Ａに直接実装される直接実装部品３１と、ソケット（図示せず）に抜き差し自在に搭載されるロム３２などのソケット搭載部品とが含まれている。
基板ケース４は、基板２Ａを収容する本体ケース４１と、本体ケース４１の上部開口を開閉自在に覆う蓋ケース（図示せず：図４及び図５の蓋ケース４２参照）とを備えて構成されている。
【００１６】
本実施形態の遊技機用基板１Ａは、複数の異なる機種に搭載できるように構成されている。例えば、基板２Ａの配線パターン、直接実装部品３１、ソケットのピン配列などを共通化し、ソケットに搭載するロム３２の選択により、異なる機種の遊技機用基板１Ａとして使用可能とする。しかしながら、ソケットに異なる容量のロム３２を搭載する場合は、別種の遊技機用基板１Ａとみなされ、基板２Ａに異なる基板管理番号２１を付与することが要求される。
【００１７】
図２は、本発明の第一実施形態に係る遊技機用基板の基板管理番号表示部分及び目印形成部分を示す説明図である。
この図に示すように、基板２Ａの表面には、遊技機用基板１Ａの種類を示す基板管理番号２１が記載されている。基板管理番号２１は、アルファベット、数字などの文字を複数組み合せた文字列からなり、例えば、図１〜図３に示す例では、「ＡＡＡ７６５４３２１」という文字列からなる基板管理番号２１を、プリントパターンを利用して基板２Ａの表面に形成している。
また、図２に示す例では、基板管理番号２１の下側に会社名を併記している。  これらの基板管理番号２１と会社名は、優先的に電子部品３をレイアウトした後の空いたスペースに形成してある。
また、基板２Ａの裏面には、表面に表示される基板管理番号２１の文字中心位置を示す複数の目印２２（例えば、丸）を、プリントパターンを利用して形成してある。
【００１８】
このように構成された本実施形態の遊技機用基板１Ａは、目印２２に対する孔開け加工に基づいて、基板管理番号２１に含まれる一又は複数の文字を選択的に消去することにより、基板管理番号２１の変更が可能となっている。
具体的には、例えば、容量Ｃ１のロム３２が搭載される遊技機用基板１Ａの基板管理番号２１を「ＡＡＡ７６５４３２１」、容量Ｃ２のロム３２が搭載される遊技機用基板１Ａの基板管理番号２１を「ＡＡＡ７６５４３２」とした場合、「ＡＡＡ７６５４３２１」の中の「１」という文字に対応する目印２２に孔を開け、「１」を消去することにより、「ＡＡＡ７６５４３２」という基板管理番号２１に変更し、容量Ｃ２のロム３２が搭載可能となる。
【００１９】
すなわち、基板管理番号２１のいずれかの文字を孔開け加工で消去する際、目印２２を中心として孔開け加工を行うことにより、容易かつ確実に文字を消去することができる。しかも、基板２Ａの裏面側から孔開け加工を行うことにより、孔開け加工に伴う周辺の損傷などが基板２Ａの表面側に露出することを回避できる。
これにより、市場から回収した使用済み遊技機用基板１Ａの基板管理番号２１を変更し、他の機種でリユースすることが可能になる。例えば、容量Ｃ１のロム３２が搭載された「ＡＡＡ７６５４３２１」という基板管理番号２１の使用済み遊技機用基板１Ａを市場から回収した場合に、「ＡＡＡ７６５４３２１」の中の「１」という文字を孔開けで消去し、「ＡＡＡ７６５４３２」という基板管理番号２１に変更すれば、遊技機用基板１Ａに容量Ｃ２のロム３２を搭載して、他の機種でリユースすることが可能になる。
【００２０】
また、本発明の遊技機用基板１Ａでは、孔開け加工で基板管理番号２１を変更するので、基板２Ａ上における基板管理番号２１の記載位置を任意に設定することができ、その結果、基板管理番号２１の記載位置が基板周縁部などに限定される場合に比べ、部品レイアウトの自由度を増大させることができる。
【００２１】
なお、上記の説明では、基板管理番号２１の右端に位置する文字を消す例を示したが、基板管理番号２１の左端に位置する文字や、基板管理番号２１の中間に位置する文字を消すことにより、基板管理番号２１を変更するようにしてもよい。また、上記の説明では、基板管理番号２１に含まれる一つの文字を消す例を示したが、基板管理番号２１に含まれる複数の文字を消すことにより、基板管理番号２１を変更するようにしてもよい。
【００２２】
つぎに、本発明の第一実施形態に係る遊技機用基板の管理番号変更方法（管理番号変更工程）について、図３を参照して説明する。
【００２３】
図３の（ａ）及び（ｂ）は、本発明の第一実施形態に係る遊技機用基板の管理番号変更工程を示す説明図である。
この図に示すように、基板２Ａの表面には、基板管理番号２１が形成され、基板２Ａの裏面には、基板管理番号２１の中心位置を示す目印２２が形成されている。ここで、容量Ｃ１のロム３２が搭載される遊技機用基板１Ａの基板管理番号２１を「ＡＡＡ７６５４３２１」、容量Ｃ２のロム３２が搭載される遊技機用基板１Ａの基板管理番号２１を「ＡＡＡ７６５４３２」とする。
【００２４】
この説明では、容量Ｃ１のロム３２が搭載された「ＡＡＡ７６５４３２１」という基板管理番号２１の使用済み遊技機用基板１Ａを市場から回収し、この遊技機用基板１Ａに容量Ｃ２のロム３２を搭載して、他の機種でリユースする場合を想定する。この場合、「ＡＡＡ７６５４３２１」の中の「１」という文字を孔開けで消去し、「ＡＡＡ７６５４３２」という基板管理番号２１に変更すれば、遊技機用基板１Ａに容量Ｃ２のロム３２を搭載して、他の機種でリユースすることが可能になる。
【００２５】
上記の孔開け加工は、図３の（ａ）に示すように、基板２Ａの裏面側から行う。まず、消去したい文字と対応する目印２２を特定し、特定した目印２２にドリル５の先端を合わせる。つぎに、回転状態のドリル５を目印２２に押し当て、図３の（ｂ）に示すように、基板２Ａに孔２３を開ける。これにより、基板２Ａの表面側に形成された「１」という文字が消去され、基板管理番号２１が「ＡＡＡ７６５４３２」に変更される。なお、ドリル５は、消去する文字外形より大きい径のものが選定されている。
【００２６】
以上のように構成された本実施形態によれば、基板管理番号２１が表示された基板２Ａ上に、電子部品３を実装して構成される遊技機用基板１Ａであって、基板２Ａの基板管理番号表示部分に対する孔開け加工に基づいて、基板管理番号２１に含まれる一又は複数の文字を選択的に消去することにより、基板管理番号２１が変更されるので、市場から回収した使用済み遊技機用基板１Ａの基板管理番号２１を変更し、他の機種でリユースすることが可能になるだけでなく、基板２Ａ上における基板管理番号２１の記載位置が限定されることを回避し、部品レイアウトの自由度を増大させることができる。
【００２７】
また、基板２Ａの裏面には、表面に表示される基板管理番号２１の文字中心位置を示す複数の目印２２が形成されるので、目印２２を中心として孔開け加工を行うことにより、容易かつ確実に文字を消去することができる。しかも、基板２Ａの裏面側から孔開け加工を行うことにより、孔開け加工に伴う周辺の損傷などが基板２Ａの表面側に露出することを回避できる。
【００２８】
また、基板２Ａは、プリントパターンにより配線が形成されるプリント基板であり、基板２Ａの裏面に表示される目印２２が、プリントパターンを利用して形成されるので、目印２２を形成するための工程が不要となり、製造コストの上昇を回避できる。
【００２９】
［第二実施形態］
つぎに、本発明の第二実施形態に係る遊技機用基板について、図４〜図７を参照して説明する。ただし、前記実施形態と共通の構成については、前記実施形態と同じ符号を付けることにより、前記実施形態の説明を援用する。
【００３０】
図４は、本発明の第二実施形態に係る遊技機用基板の基板ケース収容状態を示す斜視図、図５は、本発明の第二実施形態に係る遊技機用基板及び基板ケースを示す分解斜視図、図６は、本発明の第二実施形態に係る遊技機用基板の基板管理番号表示部分及び目印形成部分を示す説明図である。
これらの図に示すように、本発明の第二実施形態に係る遊技機用基板１Ｂは、基板２Ｂの裏面に、表面に表示される基板管理番号２１と同一の基板管理番号２４が、目印２２と対応する状態で表示される点が前記実施形態と相違している。      
【００３１】
具体的には、図６に示すように、基板２Ｂの裏面にプリントパターンを形成する際、配線パターンや目印２２と一緒に基板管理番号２４を形成する。
このようにすると、基板管理番号２１の消したい文字に対応する目印２２を容易に特定することができるので、孔２３の開け間違いを防止することができる。
また、同図に示すように、基板２Ｂの裏面に表示される基板管理番号２４の各文字を、それぞれ対応する目印２２を中心として配置してある。
このようにすると、基板２Ｂの裏面に表示される基板管理番号２４の文字も孔開け加工により消去されるので、表裏の基板管理番号２１、２４を一致させることができる。
【００３２】
さらに、基板２Ｂの裏面に表示される基板管理番号２４の各文字を、それぞれ対応する目印２２を中心として配置する場合は、基板２Ｂの表裏に表示される基板管理番号２１、２４の文字の大きさを同じとすることが好ましい。
このようにすると、基板２Ｂの裏面に表示される基板管理番号２４の文字を孔開け加工で消去することにより、基板２Ｂの表面に表示される基板管理番号２１の文字を確実に消去できるだけでなく、基板表面側の文字消去を基板裏面側で確認することが可能になる。
【００３３】
また、図６に示す例では、基板２Ｂの表裏に表示される基板管理番号２１、２４の文字は、天地が逆さまになるように配置してある。
一方、図７に示す遊技機用基板の変形例では、基板２Ｂの表裏に表示される基板管理番号２１、２４の文字を、天地が同じになるように配置してある。その結果、基板２Ｂの表裏において、基板管理番号２１、２４の文字の並び順が逆になってしまう。
そこで、図６に示すように、天地を逆さまに配置すると、基板２Ｂの表裏において、基板管理番号２１、２４の文字の並び順が同じになる。これにより、文字の並び順が逆になる場合に比べ、消去する文字位置の特定が容易になり、孔２３の開け間違いを確実に防止することができる。
【００３４】
以上のように構成された第二実施形態によれば、基板２Ｂの裏面に、表面に表示される基板管理番号２１と同一の基板管理番号２４が、目印２２と対応する状態で表示されるので、基板管理番号２１の消したい文字に対応する目印２２を容易に特定可能とし、孔２３の開け間違いを防止することができる。
【００３５】
以上、本発明について、実施形態を示して説明したが、本発明は、上述した実施形態にのみ限定されるものではなく、特許請求の範囲内で種々の変更が可能であることは言うまでもない。
例えば、各実施形態において、目印２２を基板の裏面に形成したが、目印２２を、表面に形成するとともに、基板管理番号２１の文字中心位置に配置することもできる。この場合の具体的な表面の例は、図６に示した裏面と同等となる。さらに、目印２２を表面に形成したときの裏面は、図６に示した裏面や図３に示した裏面と同様としてもよいし、なんら目印のない無地の状態であってもよい。
また、本実施形態では、目印２２を丸としたが、三角や四角などの多角形や星印などの任意な外形にすることができる。
また、ドリル５の案内となるように、目印２２を凹状（例えば、プリントパターンで中抜きの丸印）に形成することもできる。
【産業上の利用可能性】
【００３６】
本発明は、パチンコやスロットマシンに組み付けられる遊技機用基板に適用される。特に、遊技機用基板のなかでも、機種間での共通化が容易な表示制御基板、サウンド制御基板などの周辺基板（サブ基板）において有用である。
【符号の説明】
【００３７】
１Ａ  遊技機用基板
１Ｂ  遊技機用基板
２Ａ  基板
２Ｂ  基板
３    電子部品
４    基板ケース
５    ドリル
２１  基板管理番号
２２  目印
２３  孔
２４  基板管理番号
３２  ロム
【図１】
2011083404.tif 000003
【図２】
2011083404.tif 000004
【図３】
2011083404.tif 000005
【図４】
2011083404.tif 000006
【図５】
2011083404.tif 000007
【図６】
2011083404.tif 000008
【図７】
2011083404.tif 000009